(57)【要約】【課題】自動送り読取モードで原稿画像の読み取りを行っている最中に紙詰まりが発生した場合に、紙詰まりの原因となった原稿を含めて、残りの原稿の読み取りを正確かつ速やかに行う。【解決手段】画像読取部５が自動送り読取モードにて原稿の読み取りを行っている最中にＡＤＦ６内で紙詰まりが発生すると、ＡＤＦ６は原稿の搬送を一時中断し、紙詰まり頁記憶部３１２は頁数カウント数３１１がカウントしている頁数を記憶する。紙詰まりが解除されると、画像読取部５は原稿トレイにある残りの原稿を自動送り読取モードにて読み取る。その後、画像読取部５は、紙詰まりの原因となった原稿を載置読取モードにて読み取り、画像記憶部３２には、当該載置読取モードで読み取った画像が、紙詰まり頁記憶部３１２に記憶されている頁番号が対応付けられた上で記憶される。【選択図】図２
2018006929.tif 000002
【特許請求の範囲】
【請求項１】
原稿トレイに載置された原稿を予め定められた読取位置へ順次搬送し、その後当該原稿を排出トレイへ排出する原稿搬送部と、
前記読取位置とは異なる位置に配置され、原稿が載置されるコンタクトガラスと、
前記読取位置を通過する原稿、及び前記コンタクトガラスに載置された原稿の画像を読み取る画像読取部と、
前記画像読取部が読み取った画像を順次記憶する画像記憶部と、
前記読取位置を通過する原稿の画像を読み取る自動送り読取モード、または前記コンタクトガラスに載置された原稿を読み取る載置読取モードの何れかのモードで、前記画像読取部に原稿を読み取らせる制御部と、
前記原稿搬送部内の紙詰まりの発生及び解除を検出するジャム検出部と、
前記画像読取部により読み取られた各原稿の画像に対して頁番号を付す頁番号付与部と、
前記ジャム検出部が紙詰まりを検出した時に前記画像読取部に読み取られた原稿の画像に対して前記頁番号付与部により付与された頁番号を記憶する紙詰まり頁記憶部と、を備え、
前記制御部は、前記画像読取部が前記自動送り読取モードにて画像の読み取りをしている際に前記ジャム検出部が紙詰まりを検出したとき、前記原稿搬送部に前記原稿の搬送を停止させ、前記ジャム検出部が紙詰まりの解除を検出した後に、前記原稿搬送部に前記原稿トレイにある残りの原稿の搬送を再開させて前記画像読取部に前記自動送り読取モードによる原稿の画像の読み取りと、前記画像読取部に前記載置読取モードによる原稿の画像の読み取りとを行わせ、当該載置読取モードにて読み取られた原稿の画像には、前記紙詰まり頁記憶部に記憶されている頁番号を対応付けて、前記画像記憶部に記憶させる画像読取装置。
【請求項２】
前記制御部は、前記ジャム検出部が紙詰まりの解除を検出したとき、前記画像読取部による前記載置読取モードでの原稿の画像の読み取りよりも、前記原稿搬送部による前記原稿トレイにある残りの原稿の搬送及び前記画像読取部による前記自動送り読取モードでの原稿の画像の読み取りを先に行わせる請求項１に記載の画像読取装置。
【請求項３】
前記画像読取部が原稿の画像を正常に読み取ったか否かを判断する読取判断部を更に備え、
前記ジャム検出部が、前記読取位置よりも原稿搬送方向下流側にて紙詰まりを検出し、且つ前記読取判断部が当該紙詰まりの原因となった原稿の画像を正常に読み取ったと判断した場合、前記制御部は、前記画像読取部による当該紙詰まりの原因となった原稿の画像についての前記載置読取モードによる読取を行わせない請求項１又は請求項２に記載の画像読取装置。
【請求項４】
請求項１〜請求項３の何れか一項に記載の画像読取装置と、
前記画像読取装置が読み取った画像を記録媒体上に画像形成する画像形成部と、を備え、
前記制御部は、前記画像読取部が前記自動送り読取モードにて読み取って前記画像記憶部に記憶される画像を前記画像形成部により順次記録媒体に画像形成させている最中に前記ジャム検出部が紙詰まりを検出したとき、前記画像形成部による前記画像形成を中断させ、その後に行わせる前記画像読取部による前記原稿トレイに残っている原稿の画像を前記自動送り読取モードでの読み取り及び前記載置読取モードでの読み取りの完了後に、当該両読取モードで得られた画像であって前記画像記憶部に記憶されている画像についての画像形成を前記画像形成部に再開させる画像形成装置。
【発明の詳細な説明】
【技術分野】
【０００１】
本発明は、原稿を画像読取位置へ搬送して読み取る機能を備えた画像読取装置及び画像形成装置に関する。
【背景技術】
【０００２】
スキャナー、コピー機、プリンターやこれらの機能を備えた複合機等の画像形成装置においては、原稿の読取モードとして原稿トレイに載置された原稿を自動的に画像の読取位置へ搬送する自動原稿送り装置（Auto Document Feeder、以下「ＡＤＦ」という。）を備えたものが多い。このようなＡＤＦを備えた画像形成装置は、原稿読取モードとして、ＡＤＦを用いた自動送り読取モードと、ユーザーがコンタクトガラス上に原稿を載置して画像の読み取りを行わせる載置読取モードを有する。
【０００３】
しかし、ＡＤＦを用いて原稿を読取位置へ給紙する場合、ＡＤＦ内の搬送路で紙詰まり（ジャム）が発生する場合がある。特許文献１〜４には、自動送り読取モードにて原稿の読み取りを行っている最中に紙詰まりが発生した場合の残りの原稿の読み取り方法について記載されている。
【先行技術文献】
【特許文献】
【０００４】
【特許文献１】特開２００１−１３６３３９号公報
【特許文献２】特開平０６−２０５１６７号公報
【特許文献３】特開平１０−２７１２８７号公報
【特許文献４】特開２０００−０８９６１７号公報
【発明の概要】
【発明が解決しようとする課題】
【０００５】
しかしながら、特許文献１の方法の場合、紙詰まりの原因となった原稿の画像を再度読み取る動作がないため、その原稿の画像が正しく読み取られていない場合は、印刷物に頁欠損が発生してしまう。特許文献２には、紙詰まりが発生した後の残りの原稿を載置読取モードで読み取る方法が記載されているが、残りの原稿の枚数が大量にある場合、これら全てを載置読取モードで読み取ると、かなり手間と時間がかかってしまう。
【０００６】
特許文献３及び特許文献４の場合、紙詰まりが発生した後の画像の読み取りを、自動送り読取モード又は載置読取モードから選択することができる。このため、自動送り読取モードを選択すれば、紙詰まりが発生した原稿から自動読み取りを再開できる。しかし、一旦紙詰まりを生じた原稿は、皺や折れ、破損が生じていることが多いため、自動送り読取モードによる読取は、再度紙詰まりを発生させるおそれがある。
【０００７】
本発明は、上記の問題を解決するためになされたもので、自動送り読取モードで原稿画像の読み取りを行っている最中に紙詰まりが発生した場合に、紙詰まりの原因となった原稿を含めて、残りの原稿の読み取りを正確かつ速やかに行うことを目的とする。
【課題を解決するための手段】
【０００８】
本発明における画像読取装置は、原稿トレイに載置された原稿を予め定められた読取位置へ順次搬送し、その後当該原稿を排出トレイへ排出する原稿搬送部と、前記読取位置とは異なる位置に配置され、原稿が載置されるコンタクトガラスと、前記読取位置を通過する原稿、及び前記コンタクトガラスに載置された原稿の画像を読み取る画像読取部と、前記画像読取部が読み取った画像を順次記憶する画像記憶部と、前記読取位置を通過する原稿の画像を読み取る自動送り読取モード、または前記コンタクトガラスに載置された原稿を読み取る載置読取モードの何れかのモードで、前記画像読取部に原稿を読み取らせる制御部と、前記原稿搬送部内の紙詰まりの発生及び解除を検出するジャム検出部と、前記画像読取部により読み取られた各原稿の画像に対して頁番号を付す頁番号付与部と、前記ジャム検出部が紙詰まりを検出した時に前記画像読取部に読み取られた原稿の画像に対して前記頁番号付与部により付与された頁番号を記憶する紙詰まり頁記憶部と、を備え、前記制御部は、前記画像読取部が前記自動送り読取モードにて画像の読み取りをしている際に前記ジャム検出部が紙詰まりを検出したとき、前記原稿搬送部に前記原稿の搬送を停止させ、前記ジャム検出部が紙詰まりの解除を検出した後に、前記原稿搬送部に前記原稿トレイにある残りの原稿の搬送を再開させて前記画像読取部に前記自動送り読取モードによる原稿の画像の読み取りと、前記画像読取部に前記載置読取モードによる原稿の画像の読み取りとを行わせ、当該載置読取モードにて読み取られた原稿の画像には、前記紙詰まり頁記憶部に記憶されている頁番号を対応付けて、前記画像記憶部に記憶させるものである。
【０００９】
また、本発明における画像形成装置は、上記画像読取装置と、前記画像読取装置が読み取った画像を記録媒体上に画像形成する画像形成部と、を備え、前記制御部は、前記画像読取部が前記自動送り読取モードにて読み取って前記画像記憶部に記憶される画像を前記画像形成部により順次記録媒体に画像形成させている最中に前記ジャム検出部が紙詰まりを検出したとき、前記画像形成部による前記画像形成を中断させ、その後に行わせる前記画像読取部による前記原稿トレイに残っている原稿の画像を前記自動送り読取モードでの読み取り及び前記載置読取モードでの読み取りの完了後に、当該両読取で得られた画像であって前記画像記憶部に記憶されている画像についての画像形成を前記画像形成部に再開させるものである。
【発明の効果】
【００１０】
本発明によれば、自動送り読取モードにて画像の読み取りを行っている最中に原稿搬送部内で紙詰まりが発生したら、画像読取部が原稿トレイに載置された残りの原稿を自動送り読取モードにて読み取り、一方、紙詰まりの原因となった原稿の画像は載置読取モードにて読み取る。このため、紙詰まりによって原稿にしわや折れ、破損が出来た場合にはそのしわや折れを伸ばしたり、破損した場合には別のプリンターでその原稿を新たに印刷したりする等、修復後の原稿を読み取らせることができる。これにより、自動送り読取モードで原稿画像の読み取りを行っている最中に紙詰まりが発生した場合に、紙詰まりの原因となった原稿を含めて、残りの原稿の読み取りを正確かつ速やかに行うことができる。
【図面の簡単な説明】
【００１１】
【図１】画像形成装置の構造を示す正面断面図である。
【図２】画像形成装置の主要内部構成を示す機能ブロック図である。
【図３】画像読取及び画像形成の処理の流れを説明したフローチャートである。
【図４】画像読取及び画像形成の処理の流れを説明したフローチャートである。
【図５】表示部が表示する画面の一例である。
【図６】表示部が表示する画面の一例である。
【図７】表示部が表示する画面の一例である。
【図８】表示部が表示する画面の一例である。
【図９】表示部が表示する画面の一例である。
【発明を実施するための形態】
【００１２】
以下、本発明の一実施形態に係る画像読取装置及び画像形成装置について図面を参照して説明する。尚、本実施の形態では、電子写真方式を用いた画像形成装置１を例に挙げて説明するが、インクジェット方式等の他の印刷方式を用いた画像形成装置であっても構わない。図１は、本実施の形態における画像形成装置１の構造を示す正面断面図である。
【００１３】
画像形成装置１は、例えば、コピー機、プリンター、スキャナー及びファクシミリ等であってもよいし、これらの機能を備えた複合機であってもよい。画像形成装置１は、装置本体１１に、操作部４７、画像形成部１２、定着部１３、給紙部１４、自動原稿送り装置（ＡＤＦ）６及び画像読取部５等を備えて構成されている。
【００１４】
画像読取部５は、上面に設けられた原稿を載置するためのコンタクトガラス１６１、コンタクトガラス１６１に載置された原稿に光を照射する光源２６、原稿からの反射光を第２ミラー２２に反射する第１ミラー２１、反射光をＣＣＤ（Charge Coupled Device）やＣＭＯＳ（Complementary Metal Oxide Semiconductor）等のイメージセンサーで構成された撮像素子２５へ導く第３ミラー２３、レンズ系２４及び原稿読取スリット５３（読取位置）を有する。
【００１５】
後述する制御部３１０は、画像読取部５により、自動送り読取モード及び載置読取モードの２つのモードで原稿読取を行わせる。
【００１６】
自動送り読取モードにおいては、制御部３１０による制御の下、ＡＤＦ６は、給紙ローラー６１３及び搬送ローラー６１５の駆動により、原稿トレイ６１に載置された原稿束Ｓを１枚ずつ繰り出して原稿読取スリット５３に対向する位置へ搬送し、原稿読取スリット５３を介して画像読取部５による読取を可能とした後、排出ローラー６１８が駆動して排出トレイ６６へと排出する。またＡＤＦ６は、画像読取部５の上面にあるコンタクトガラス１６１に対して開閉自在であり、ＡＤＦ６が閉状態にあるときにコンタクトガラス１６１の上面と対向する面に原稿押さえ板１６２を有する。
【００１７】
ジャム検出センサー６３１及び６３２は、ＡＤＦ６内の原稿の搬送路における紙詰まりを検出するセンサーである。例えば、当該センサーは、搬送路における原稿の有無を検出する光センサーである。後述する制御部３１０は、ジャム検出センサー６３１又は６３２から原稿有りを示す信号が一定期間以上継続する場合に、当該ジャム検出センサー６３１又は６３２の配設位置において紙詰まりが発生していると判断する。
【００１８】
ジャム検出センサー６３１は原稿読取スリット５３より原稿搬送方向上流側、ジャム検出センサー６３２は原稿読取スリット５３より原稿搬送方向下流側に配置されている。ジャム検出センサー６３１は原稿読取スリット５３より原稿搬送方向上流側、ジャム検出センサー６３２は原稿読取スリット５３より原稿搬送方向下流側の紙詰まりを検出可能にする。
【００１９】
また、載置読取モードにおいては、制御部３１０による制御の下、ユーザーがコンタクトガラス１６１上に原稿を置いてＡＤＦ６を閉状態にしてスタートボタン（不図示）を押下すると、後述する制御ユニット３１の制御に従って光源２６が発光し、この光源２６の光がコンタクトガラス１６１を透過して原稿に照射される。その結果、原稿の反射光がコンタクトガラス１６１を通して第１ミラー２１に入射する。この入射光は、第２ミラー２２、第３ミラー２３及びレンズ系２４を通過した後、撮像素子２５へ入射する。
【００２０】
撮像素子２５は、制御ユニット３１の制御に従って動作し、入射光を電気信号へ変換する。撮像素子２５は、主走査方向に配列しており、主走査方向の１ライン分の出力値を得る。
【００２１】
更に、光源２６、第１ミラー２１、第２ミラー２２及び第３ミラー２３は、モーター等の駆動部（不図示）によって主走査方向と直交した副走査方向に一定速度で移動する。こうすることで、画像読取部５は原稿の主走査方向１ライン分の出力値を副走査方向に連続して取得し、結果として原稿全体の画像を読み取ることができる。
【００２２】
操作部４７は、ユーザーから画像形成動作実行指示や原稿読取動作実行指示等の指示を受け付ける。操作部４７は、ユーザーへの操作案内等を表示する表示部４７３を備えている。
【００２３】
画像形成装置１が画像形成動作を行う場合は、制御部３１０による制御の下、画像読取部５が読み取った画像に基づいて、画像形成部１２が、給紙部１４から給紙される用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、帯電、露光及び現像の工程により感光体ドラム１２１上にトナー像を形成し、そのトナー像を一次転写ローラー１２６により中間転写ベルト１２５上に転写させる。
【００２４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００２５】
給紙部１４は、複数の給紙カセットを備える。そして後述する制御ユニット３１が、ユーザーによる指示で指定されたサイズの用紙が収容された給紙カセットのピックアップローラー１４５を回転駆動させて、各給紙カセットに収容されている用紙Ｐをニップ部Ｎに向けて搬送させる。
【００２６】
図２は、画像読取装置１の主要内部構成を示す機能ブロック図である。画像形成装置１は、制御ユニット３１、操作部４７、ＡＤＦ６、画像記憶部３２、画像読取部５及び画像形成部１２を備えて構成される。図１と同じ構成要素には同じ番号を付し、説明を省略する。
【００２７】
画像記憶部３２は、画像読取部５が読み取ったデータ等を一時的に保存する。
【００２８】
制御ユニット３１は、プロセッサー、ＲＡＭ、ＲＯＭ及び専用のハードウェア回路等から構成される。プロセッサーは、例えば、ＣＰＵ(Central Processing Unit)、ＭＰＵ、ＡＳＩＣ等である。制御ユニット３１は、制御部３１０、頁番号付与部３１１、紙詰まり頁記憶部３１２及び読取判断部３１３を備える。
【００２９】
制御部３１０は、画像形成装置１の全体的な動作制御を司る。特に、本実施形態では、制御部３１０は、画像読取部５により、自動送り読取モード及び載置読取モードの２つのモードで原稿読取を行わせる制御を行う。
【００３０】
頁番号付与部３１１は、原稿トレイ６１に載置された原稿のうちＡＤＦ６が原稿読取スリット５３に向けて給送した枚数をカウントする。例えば、頁番号付与部３１１は、ＡＤＦ６に設けられた原稿検知センサーがＡＤＦ６による原稿の搬送時に原稿を検知する度に、各原稿に連続した頁番号を付与して、読み取られた各原稿の画像に対応付けて記憶する。なお、両面読取の場合は、頁番号付与部３１１は、１枚の原稿の各面に対してそれぞれ頁番号を付与する。また、頁番号付与部３１１は、ジャム検出センサー６３１が原稿の通過を検知するごとに、各原稿に頁番号を付与するようにしてもよい。
【００３１】
紙詰まり頁記憶部３１２は、紙詰まりが発生した時に画像読取部５による読取対象とされている原稿に対して頁番号付与部３１１により付与された頁番号を記憶する。
【００３２】
読取判断部３１３は、原稿読取スリット５３を通過した原稿の全体を画像読取部５が正常に読み取ったか否かを判断する。読取判断部３１３による判断方法の一例として、読取判断部３１３が画像読取部５の読み取った画像を取得し、読み取った画像のサイズが１頁分に相当することができたら、画像の読み取りが正しく行われたと判断する。
【００３３】
自動送り読取モードでの原稿読取中に、ＡＤＦ６内で紙詰まりが発生すると、紙詰まり頁記憶部３１２はその時の頁数を記憶する。そして原稿トレイ６１に載置された原稿の搬送が全て終わった後で、制御部３１０は、画像読取部５に、ユーザーによりコンタクトガラス１６１上に載置される紙詰まりの原因となった原稿を載置読取モードにて読み取らせる。そして、制御部３１０は、当該載置読取モードにて読み取られた原稿の画像に、紙詰まり頁記憶部３１２に記憶されている頁番号を対応付けて、画像記憶部３２に記憶させる。こうすることで、紙詰まりを起こした原稿について正しい頁順で読出及び画像形成が可能になる。
【００３４】
また、紙詰まりを起こした原稿にしわや折れができたり、破損したりした場合に、原稿トレイに載置された原稿が自動読取モードにて読み取られている間に、その原稿の修復（しわを伸ばしたり、別のプリンターで新たに原稿を印刷する等）を行うことができる。
【００３５】
また、画像読取部５によって画像読み取りが終わった後、排出トレイ６６に近い位置（排出口の付近）で紙詰まりを起こした場合、その原稿の読み取りは終わっているのだから、再度載置読取モードにて読み取る必要がない。
【００３６】
従って、紙詰まりが原稿読取スリット５３より搬送方向下流側で発生し、読取判断部３１３がその原稿の読み取りが正常に行われたと判断した場合、紙詰まり頁記憶部３１２はその時の頁番号付与部３１１がカウントした頁数を記憶せず、制御部３１０は、画像読取部５による載置読取モードでの当該原稿の読み取りを行わせない。これにより、載置読取モードにて無駄に原稿の読み取りを行うことを防ぐことができる。
【００３７】
図３〜図９を用いて、本実施の形態における画像読取及び画像形成の処理の流れについて説明する。図３及び図４は、処理の流れを示したフローチャートである。そして図５〜図９は、表示部４７３が表示する画面の一例を示している。なお、以下には、原稿片面読取の場合を説明する。
【００３８】
まず、頁番号付与部３１１は、例えば制御ユニット３１に内蔵されているメモリーに記憶されている変数Ｎに０を代入する（ステップＳ１１）。変数Ｎは０以上の整数である。続いて、制御部３１０は、ＡＤＦ６の原稿トレイ６１にある原稿１枚を原稿読取スリット５３へ向けて搬送させる。原稿搬送の度に頁番号付与部３１１は変数Ｎを１増加すると共に、制御部３１０は、画像読取部５に、原稿読取スリット５３を通過する原稿の画像を読み取らせる（ステップＳ１２）。制御部３１０は、読み取られた各原稿の画像に対して、読取時に頁番号付与部３１１によりカウントされたそれぞれの上記変数を頁番号として対応付けた上で、各原稿の画像を画像記憶部３２に記憶させる。
【００３９】
ジャム検出センサー６３１，６３２からの出力に基づいて、制御部３１０がＡＤＦ６内で紙詰まりが発生したと判断した場合（ステップＳ１３；ＹＥＳ）、制御部３１０は、表示部４７３に紙詰まりが発生したことを通知する画面（図５）を表示させる（ステップＳ１４）。そして、制御部３１０は、ジャム検出センサー６３１，６３２からの出力に基づいて、紙詰まりの発生位置が原稿読取スリット５３より搬送方向上流側であるか下流側であるかを判断する（ステップＳ１５）。例えば、制御部３１０は、ジャム検出センサー６３１が紙詰まりを検出した場合は上流側と判断し、ジャム検出センサー６３２が紙詰まりを検出した場合は下流側と判断する。
【００４０】
制御部３１０が、紙詰まりが原稿読取スリット５３より下流側で発生したと判断した場合（ステップＳ１５；ＹＥＳ）、読取判断部３１３は原稿全体が正しく読み取られたか否かを判断する（ステップＳ１６）。読取判断部３１３が、原稿全体が正しく読み取られていると判断した場合（ステップＳ１６；ＹＥＳ）、処理はステップＳ１８に移行する。
【００４１】
例えば、ＡＤＦ６の原稿搬送路のうち、読取対象となる原稿の搬送方向下流端が、自動送り読取モード時の読取位置を既に通過している状態で紙詰まりが発生した場合や、原稿読取スリット５３より下流側の排出トレイ６６に近い位置（例えば、排出口）で紙詰まりが発生した場合は、画像読取部５が紙詰まりの原因となった原稿の画像を既に正しく読み取っている可能性もある。この場合、原稿トレイ６１に載置された原稿の読み取りが終わった後、紙詰まりを起こした原稿として画像読取部５が載置読取モードにて再度読み取る必要がない。
【００４２】
従って、ステップＳ１５及びステップＳ１６に示すように、制御部３１０が、紙詰まりが原稿読取スリット５３より下流側で発生したと判断し、かつ、読取判断部３１３が原稿の画像を正しく読み取ったと判断した場合は、紙詰まり頁記憶部３１２は、頁番号付与部３１１のカウント数（変数Ｎ）を記憶しない。
【００４３】
制御部３１０が、紙詰まりの発生位置が原稿読取スリット５３より搬送方向上流側であると判断した場合（ステップＳ１５；ＮＯ）、または、紙詰まり発生位置は搬送方向下流側であるが、読取判断部３１３が、原稿全体が正しく読み取られていないと判断した場合は（ステップＳ１６；ＮＯ）、紙詰まり頁記憶部３１２は、頁番号付与部のカウント数（変数Ｎ）を紙詰まり頁として記憶する（ステップＳ１７）。
【００４４】
ステップＳ１６でＹＥＳ、又はステップＳ１７の後、制御部３１０が、ジャム検出センサー６３１，６３２からの出力に基づいて、ステップＳ１３で検出されたＡＤＦ６内での紙詰まりが解除したと判断した場合（ステップＳ１８；ＹＥＳ）、処理はステップＳ１２に戻る。
【００４５】
そして、制御部３１０が、原稿トレイ６１にある全ての原稿の搬送が終わったと判断するまで（ステップＳ１９；ＮＯ）、ステップＳ１２〜ステップＳ１９の処理を繰り返す。なお、紙詰まり頁記憶部３１２は、複数の原稿について紙詰まりが発生した場合には、紙詰まりが発生した各原稿について頁番号付与部３１１がカウントしているカウント数（変数Ｎ）を紙詰まり頁として記憶しておく。
【００４６】
制御部３１０は、原稿トレイ６１にある全ての原稿の搬送が終わったと判断した場合（ステップＳ１９；ＹＥＳ）、紙詰まり頁記憶部３１２が紙詰まり頁を記憶しているか否かを判断する（ステップＳ２０）。
【００４７】
ここで、制御部３１０が、紙詰まり頁記憶部３１２が紙詰まり頁を記憶していないと判断した場合（ステップＳ２０；ＮＯ）、つまりＡＤＦ６による原稿搬送中に紙詰まりが起こらなかった場合、制御部３１０は、画像形成部１２により、画像記憶部３２が記憶する各原稿の頁の画像を用紙に画像形成させ（ステップS２４）、処理を終了する。
【００４８】
一方、制御部３１０が、紙詰まり頁記憶部３１２が紙詰まり頁を記憶していると判断した場合（ステップＳ２０；ＹＥＳ）、制御部３１０は、表示部４７３に、紙詰まりを起こした原稿をコンタクトガラス１６１上に載置することを通知する画面（図６）を表示させる（ステップＳ２１）。また、制御部３１０は、図６に示すように、紙詰まり頁記憶部３１２が記憶している紙詰まり頁を「読取エラー頁」としてメッセージ８１に示すように表示部４７３に表示させる。本実施の形態では、原稿の３頁目と１０頁目を読み取る際に紙詰まりが起こったものとして説明する。
【００４９】
紙詰まりを起こした原稿の読み取りをやり直す場合、ユーザーはＯＫボタン９１を押下し、読み取りを行わない場合はキャンセルボタン９２を押下する。ＯＫボタン９１の押下により次の案内を表示させる指示が制御部３１０に入力され、キャンセルボタン９２の押下により原稿読取をキャンセルする指示が制御部３１０に入力される。
【００５０】
ＯＫボタン９１が押下された場合、制御部３１０は、紙詰まりを起こした第３頁の原稿をコンタクトガラス１６１上に載置することを通知する画面（図７）を表示部４７３に表示させる。ユーザーが原稿をコンタクトガラス１６１に載置して、ＯＫボタン９３又は操作部４７にあるスタートボタンを押下すると、制御部３１０に、原稿読取開始指示が入力され、制御部３１０は、画像読取部５に、載置読取モードにて原稿画像の読み取りを行わせる（ステップＳ２２）。制御部３１０は、当該載置読取モードにて読み取られた原稿の画像に、紙詰まり頁記憶部３１２に記憶されている頁番号を対応付けて、画像記憶部３２に記憶させる(ステップＳ２３)。
【００５１】
例えば、紙詰まりを起こした原稿が２枚(ここでは第３頁、第１０頁とする)のとき、上記のようにして画像読取部５がまず１枚の原稿(ここでは第３頁)の読み取りを終えたとき、制御部３１０は、当該読み取られた原稿の画像に、紙詰まり頁記憶部３１２に記憶されている頁番号(第３頁)を対応付けて、画像記憶部３２に記憶させる。制御部３１０は、紙詰まり頁記憶部３１２に記憶されている第３頁を示す「３」を消去する。この後、処理はＳ２０に戻る。
【００５２】
制御部３１０は、紙詰まり頁記憶部３１２に更なる頁番号が記憶されているか否かを判断し(ステップＳ２０)、紙詰まり頁記憶部３１２に更なる頁番号(第１０頁)が記憶されていると判断した場合には(ステップＳ２０でＹＥＳ)、読み取るべき更なる原稿が存在するとして、処理はＳ２１に移行する。
【００５３】
そして、制御部３１０は、紙詰まりを起こした２枚目の原稿である第１０頁の原稿をコンタクトガラス１６１上に載置することを通知する画面（図８）を表示部４７３に表示させる(ステップＳ２１)。ユーザーが当該原稿をコンタクトガラス１６１に載置して、図８に示すＯＫボタン９３又は操作部４７にあるスタートボタンを押下すると、制御部３１０に、原稿読取開始指示が入力され、制御部３１０は、画像読取部５に、載置読取モードにて原稿画像の読み取りを行わせる（ステップＳ２２）。制御部３１０は、当該載置読取モードにて読み取られた原稿の画像に、紙詰まり頁記憶部３１２に記憶されている頁番号(第１０頁)を対応付けて、画像記憶部３２に記憶させる(ステップＳ２３)。制御部３１０は、紙詰まり頁記憶部３１２に記憶されている第１０頁を示す「１０」を消去する。この後、処理はＳ２０に戻る。
【００５４】
そして、制御部３１０が、紙詰まり頁記憶部３１２に更なる頁番号が記憶されていないと判断するに到った場合には(ステップＳ２０でＮＯ)、読み取るべき更なる原稿が存在しないとして（つまり、紙詰まりを起こした原稿の読み取りが全て終了した）、処理はＳ２４に移行する。
【００５５】
この後、制御部３１０は、画像形成部１２に、画像記憶部３２が記憶する画像を用紙に画像形成させる（ステップＳ２４）。この画像形成後、処理は終了する。制御部３１０は、表示部４７３に、図１０に例を示すように、画像形成中(印刷中)であることを示す表示画面を表示させる。
【００５６】
上記のように、この実施形態では、自動送り読取モード中に紙詰まりが発生した場合、ＡＤＦ６から紙詰まりの原因となった原稿を取り出した後、引き続き自動送り読取モードにて原稿トレイ６１に載置された他の原稿の読み取りを行い、その後、紙詰まりの原因となった原稿の画像の載置読取モードにて読み取る。これにより、自動送り読取モードでの原稿の読み取り中に、紙詰まりを起こした原稿にしわや折れが出来た場合にはそのしわを伸ばしたり、破損した場合には別のプリンターでその原稿を新たに印刷したり、ステープルで留められている場合はステープルを外したりする等、原稿修復の作業を行うことができ、原稿読み取りの中断時間をできるだけ無くすことができる。
【００５７】
また、ＡＤＦ６の原稿搬送路のうち、原稿読取スリット５３より下流側の排出トレイ６６に近い位置で紙詰まりが発生したが、読取判断部３１３が紙詰まりの原因となった原稿の画像は正しく読み取られている場合には、画像読取部５による紙詰まりの原因となった原稿の読み取りは上記載置読取モードにては行われない。これにより、無駄な原稿読取の手間を無くすことができる。
【００５８】
尚、本実施の形態では、全ての原稿の読み取りが終わった後で、画像記憶部３２が記憶する画像を画像形成部１２が用紙に画像形成することとして説明した。しかし、画像読取部５が１枚の原稿の読み取りを終えると、即座に画像形成部１２が読み取った画像を用紙に画像形成するようにしてもよい。
【００５９】
この場合、制御部３１０による制御の下、自動送り読取モードで読み取り中に原稿の紙詰まりが発生するまでは、画像読取部５が原稿１枚の読み取りを行うと、即座に画像形成部１２が画像記憶部３２に記憶されている当該原稿の画像を用いて画像の画像形成を行う。そして紙詰まりが発生すると、画像形成部１２は画像形成を中断し、画像読取部５が残りの原稿を自動送り読取モードで読み取った後、紙詰まりの原因となった原稿については、この後に載置読取モードで読み取る。この後、画像形成部１２は、画像記憶部３２に記憶されている、上記中断後に読み取られた各原稿の画像形成を実行する。
【００６０】
すなわち、制御部３１０は、画像読取部５が自動送り読取モードにて読み取って画像記憶部３２に記憶される画像を画像形成部１２により順次用紙に画像形成させている最中に紙詰まりを検出したとき、画像形成部１２による当該画像形成を中断させ、その後に行わせる画像読取部５による原稿トレイ６１に残っている原稿の画像を自動送り読取モードでの読み取り及び載置読取モードでの読み取りの完了後に、当該両読取で得られた画像であって画像記憶部３２に記憶されている画像についての画像形成を画像形成部１２に再開させる。
【００６１】
これにより、紙詰まりが生じて、紙詰まりが生じた原稿の読取を上記のようにしてやり直す場合に、読み取った全ての画像についての画像形成に要する時間を短縮することができる。
【符号の説明】
【００６２】
１        画像形成装置
１２      画像形成部
１６１    コンタクトガラス
３１      制御ユニット
３１０    制御部
３１１    頁番号付与部
３１２    紙詰まり頁記憶部
３１３    読取判断部
３２      画像記憶部
４７      操作部
４７３    表示部
５        画像読取部
５３      原稿読取スリット
６        ＡＤＦ
６１      原稿トレイ
６３１、６３２  ジャム検出センサー
【図１】
2018006929.tif 000003
【図２】
2018006929.tif 000004
【図３】
2018006929.tif 000005
【図４】
2018006929.tif 000006
【図５】
2018006929.tif 000007
【図６】
2018006929.tif 000008
【図７】
2018006929.tif 000009
【図８】
2018006929.tif 000010
【図９】
2018006929.tif 000011